(57)【要約】【課題】前見頃などを開閉することで着脱可能な衣服において、ボタン代わりに磁石を使用することで、手指の不自由な人が着脱し易くするにあたって、洗濯を容易にする。【解決手段】ボタンＢ１〜Ｂ６およびボタン孔Ｈ１〜Ｈ６に代えて用いられ、対を成す磁石Ｍ１Ａ〜Ｍ６Ａ；Ｍ１Ｂ〜Ｍ６Ｂにおいて、それらを支持体Ｐ１Ａ〜Ｐ６Ａ；Ｐ１Ｂ〜Ｐ６Ｂにそれぞれ搭載し、その支持体Ｐ１Ａ〜Ｐ６Ａ；Ｐ１Ｂ〜Ｐ６ＢをクリップＣ１Ａ〜Ｃ４Ａ；Ｃ１Ｂ〜Ｃ４Ｂまたは面ファスナーＤ５Ａ，Ｄ６Ａ；Ｄ５Ｂ，Ｄ６Ｂによって、前立て２Ａ，２Ｂの内側のメッシュ材Ｅ、布材Ｋまたは面ファスナーＴＡ，ＴＢに着脱自在とする。したがって、支持体Ｐ１Ａ〜Ｐ６Ａ；Ｐ１Ｂ〜Ｐ６Ｂおよびそれに搭載される磁石Ｍ１Ａ〜Ｍ６Ａ；Ｍ１Ｂ〜Ｍ６Ｂを衣服１から取り外すことができ、洗濯機の内面と当ったり、磁石が錆びたりというような問題が無くなる。【選択図】図２
2019194381.tif 000002
【特許請求の範囲】
【請求項１】
少なくとも一部を開閉することで着脱可能になる衣服において、
対を成す開閉部分の裏側において、開閉端の内方から、他方の開閉部分の側に延びてそれぞれ形成される一対の支持体と、
前記支持体にそれぞれ搭載され、相互に磁気吸着することで対を成す前記の開閉部分間を閉止する一対の磁石または磁性体と、
前記支持体を、前記開閉部分の裏側に着脱自在に取付ける取付け部材とを含むことを特徴とする衣服。
【請求項２】
前記取付け部材は、
前記の開閉部分の裏側に一端が取付けられる基材と、
前記支持体に取付けられ、前記基材の他端側に噛合または解放自在のクリップとを備えて構成されることを特徴とする請求項１記載の衣服。
【請求項３】
前記開閉部分は、上下方向に延びる前見頃または後見頃であり、
前記基材は、上下方向に延び、前記開閉部分の裏側に、幅方向の一端部が縫付けまたは貼付けによって取付けられる帯状体であり、他端部側には、複数のクリップが噛合することを特徴とする請求項２記載の衣服。
【請求項４】
前記前見頃または後見頃において、前記上下方向に配列されることになる複数対の磁石または磁性体の内、少なくとも最上段については、残余の段と、組合わさった際の形状が異なることを特徴とする請求項３記載の衣服。
【請求項５】
前記基材は、クリップ通し孔を有する布地、またはメッシュ生地から成ることを特徴とする請求項３または４記載の衣服。
【請求項６】
前記取付け部材は、
前記の開閉部分の裏側に取付けられる第１の面ファスナーと、
前記支持体に取付けられ、前記第１の面ファスナーに係合または解放自在の第２の面ファスナーとを備えて構成されることを特徴とする請求項１記載の衣服。
【請求項７】
前記開閉部分には、その開かれてゆく方向に、前記磁石または磁性体が、予め定める間隔で複数個配列され、
それらの磁石または磁性体の間の少なくとも一部の箇所には、相互に圧着されることで係合する一対の係合部材が設けられ、
前記一対の係合部材に関連して、もう１つの支持体およびもう１つの取付け部材をさらに備えることを特徴とする請求項１〜６の何れか１項に記載の衣服。
【請求項８】
前記一対の支持体は、前記開閉部分の裏側で、その先端部分が相互に重なり合う薄板状の基板から成り、
前記基板上には、前記上下方向に間隔を開けて２つのクリップが配置されるとともに、他方の基板との突き合わせ面に臨んで、前記磁石または磁性体が搭載されることを特徴とする請求項３記載の衣服。
【請求項９】
前記一対の磁石または磁性体は、互いの吸着面が、左右から相互に嵌り合う凹凸形状に形成されることを特徴とする請求項８記載の衣服。
【請求項１０】
前記基板上には、前記上下方向に間隔を開けて配置される２つのクリップ間に、他方の基板と連結する第３の面ファスナーが設けられていることを特徴とする請求項８または９記載の衣服。
【請求項１１】
前記支持体は、前記開閉部分の裏側で、その先端部分が左右から相互に嵌り合う凹凸形状に形成された板状の基板から成り、
前記磁石または磁性体は、前記凹凸の内面に設けられていることを特徴とする請求項６記載の衣服。
【請求項１２】
前記磁石の少なくとも一部は電磁石であり、
前記電磁石は、制御装置によって電力付勢が制御されており、
前記制御装置には、情報処理端末と近距離無線通信によって、前記電力付勢の指示が与えられることを特徴とする請求項７記載の衣服。
【発明の詳細な説明】
【技術分野】
【０００１】
本発明は、前見頃のように、少なくとも一部を開閉することで着脱可能になる衣服において、手指などの身体の機能に不自由のある使用者が、脱いだり着たりし易い衣服に関する。
【背景技術】
【０００２】
障害者やお年寄りなど、特に手指の不自由な人が脱いだり着たりし易い衣服として、たとえば特許文献１〜３が提案されている。
【０００３】
特許文献１は、指先の不自由な人が脱ぎ着し易いように、衣服の前見頃の合せ面を磁気で吸着するようにしたマグネットボタン付きの衣服であり、吸着を強力にするためにネオジウム磁石を用い、吸着面以外をシールド材で覆っている。そして、薄い円盤状の磁石を、前見頃（前立て）に縫い合わせで袋状に形成された重ね合わせ部に収納している。
【０００４】
特許文献２も、指先の不自由な人が脱ぎ着し易いように、磁気を有する留具を備える衣服で、吸着面に、対応する凹凸が形成されることで、横滑りしないようになっている。
【０００５】
また、特許文献３では、電磁ボタンが提案されている。この従来技術によれば、使用者が上着を着て（袖を通して）、前見頃（シャツの場合は前立て）を合せて、前記電磁石を励磁することで係合を行わせている。これによって、片手の不自由な人や、幼児・お年寄り等の細かな作業ができない使用者にも、脱いだり着たりし易い衣服が提案されている。
【先行技術文献】
【特許文献】
【０００６】
【特許文献１】特開２００５−２８０２２号公報
【特許文献２】特開平１−２７０８０４号公報
【特許文献３】特開２００１−２１０号公報
【発明の概要】
【発明が解決しようとする課題】
【０００７】
上述の従来技術では、ボタンに代わり磁石を用いることで、衣服を脱ぎ着し易くしている。しかしながら、磁石が着いているので、洗濯をし難いという問題がある。たとえば、洗濯機の内面と当ったりするという問題がある。また、特許文献１では、前記の袋に埋め込まれた磁石が錆びたりする可能性もある。
【０００８】
本発明の目的は、開閉部分に、ボタン代わりに磁石を使用することで、特に手指の不自由な人が脱いだり着たりし易くした衣服において、洗濯し易い衣服を提供することである。
【課題を解決するための手段】
【０００９】
本発明の衣服は、少なくとも一部を開閉することで着脱可能になる衣服において、対を成す開閉部分の裏側において、開閉端の内方から、他方の開閉部分の側に延びてそれぞれ形成される一対の支持体と、前記支持体にそれぞれ搭載され、相互に磁気吸着することで対を成す前記の開閉部分間を閉止する一対の磁石または磁性体と、前記支持体を、前記開閉部分の裏側に着脱自在に取付ける取付け部材とを含むことを特徴とする。
【００１０】
上記の構成によれば、前見頃のような少なくとも一部を開閉することで着脱可能になるシャツなどの衣服において、その開閉部分に、ボタン代わりに、対を成し、相互に磁気吸着する磁石や磁性体（吸着される鉄板など）を使用することで、特に手指の不自由な人が脱いだり着たりし易い衣服を実現することができる。
【００１１】
一方、その磁石や磁性体を、前見頃（前立て）の裏側に縫付けたり、該前見頃（前立て）を袋にして収容したりするのではなく、本発明では、対を成す開閉部分の裏側において、開閉端の内方（内側に入り込んだ箇所）から、他方の開閉部分の側に延びる一対の支持体に搭載する。そして、その支持体も、前記開閉部分の裏側に縫付けなどで取付けられるのではなく、取付け部材によって、着脱自在に取付けられる。
【００１２】
したがって、支持体およびそれに搭載される磁石や磁性体を衣服から取り外すことができ、洗濯機の内面と当ったり、磁石が錆びたりというような問題が無く、洗濯を容易に行うことができる。
【００１３】
また、本発明の衣服では、前記取付け部材は、前記の開閉部分の裏側に一端が取付けられる基材と、前記支持体に取付けられ、前記基材の他端側に噛合または解放自在のクリップとを備えて構成される。
【００１４】
上記の構成によれば、上述のように、洗濯の際などに支持体およびそれに搭載される磁石や磁性体を衣服から取り外し自在とするにあたって、支持体の側にはクリップを縫付けなどで取付け、衣服の側には基材を縫付けや貼付けなどで取付け、その基材の端部にクリップを食い付かせることで支持体の衣服の裏地への取付けを行う。
【００１５】
したがって、クリップを開閉するだけで、クリップから、支持体および磁石や磁性体を一体で、容易に着脱することができる。
【００１６】
さらにまた、本発明の衣服では、前記開閉部分は、上下方向に延びる前見頃または後見頃であり、前記基材は、上下方向に延び、前記開閉部分の裏側に、幅方向の一端部が縫付けまたは貼付けによって取付けられる帯状体であり、他端部側には、複数のクリップが噛合することを特徴とする。
【００１７】
上記の構成によれば、衣服を前見頃（シャツの場合は前立て）または後見頃で上下方向に開閉する場合、その裏側で、基材を、複数のクリップが食い付く帯状体とする。
【００１８】
したがって、基材が布地やメッシュ生地である場合、クリップ毎に切離されていたら、自己支持性が低いのに対して、一体であることで、自己支持性が高く、クリップを留め易くもなる。
【００１９】
また、本発明の衣服では、前記前見頃または後見頃において、前記上下方向に配列されることになる複数対の磁石または磁性体の内、少なくとも最上段については、残余の段と、組合わさった際の形状が異なることを特徴とする。
【００２０】
上記の構成によれば、衣服を前見頃（シャツの場合は前立て）または後見頃で上下方向に開閉可能にし、上下方向に配列される複数対の磁石または磁性体の磁気吸着で開閉を行う場合、最上段の磁石または磁性体の対については、他の段の対とは異なる組合わせ形状とする。つまり、最上段の磁石または磁性体は、他の段の磁石または磁性体とは吸着しない。
【００２１】
したがって、ボタンの掛け違えのようなズレを未然に防止することができる。
【００２２】
さらにまた、本発明の衣服では、前記基材は、クリップ通し孔を有する布地、またはメッシュ生地から成ることを特徴とする。
【００２３】
上記の構成によれば、基材が、布地で成る場合に形成されたクリップ通し孔や、メッシュ生地で成る場合のメッシュ孔などを通して、クリップの先端が表裏間で噛合って、不所望に外れ難くすることができる。特に、基材が個別のクリップに対応して分割されている場合では、各クリップが対応するクリップ通し孔やメッシュ孔が捜し難い、つまりボタンの掛け違いが起こり易くなるのに対して、基材が衣服の裏側で連続した帯状体である場合、そのような不具合を無くすことができ、好適である。
【００２４】
また、本発明の衣服では、前記取付け部材は、前記の開閉部分の裏側に、縫付けや貼付けなどで取付けられる第１の面ファスナーと、前記支持体に取付けられ、前記第１の面ファスナーに係合または解放自在の第２の面ファスナーとを備えて構成されることを特徴とする。
【００２５】
上記の構成によれば、上述のように、洗濯の際などに支持体およびそれに搭載される磁石や磁性体を衣服から取り外し自在とするにあたって、支持体の側には第２の面ファスナーを縫付けなどで取付け、衣服の側に第１の面ファスナーを縫付けや貼付けなどで取付け、それらの第１および第２の面ファスナーを係合させることで支持体の衣服の裏面への取付けを行う。
【００２６】
したがって、面ファスナーを着け外しすることで、支持体および磁石や磁性体を一体で、容易に着脱することができる。
【００２７】
さらにまた、本発明の衣服では、前記開閉部分には、その開かれてゆく方向に、前記磁石または磁性体が、予め定める間隔で複数個配列され、それらの磁石または磁性体の間の少なくとも一部の箇所には、相互に圧着されることで係合する面ファスナーやホックなどの一対の係合部材が設けられ、前記一対の係合部材に関連して、もう１つの支持体およびもう１つの取付け部材をさらに備えることを特徴とする。
【００２８】
上記の構成によれば、開閉部分に磁石や磁性体が複数個並んで設けられる場合に、それらの間の少なくとも一部の箇所に、相互に圧着されることで係合する面ファスナーやホックなどの一対の係合部材を設け、この係合部材も、磁石や磁性体と同様に、前記一対の支持体および取付け部材と同様のもう１つの支持体およびもう１つの取付け部材によって、衣服の裏側で着脱自在とする。
【００２９】
したがって、同様に洗濯可能で、磁石で仮吸着して位置決めも行い（ボタンの掛け違いを無くし）、磁石の近傍に設けた面ファスナーまたはホックによって、本固定を行い、脱げ難くした衣服を実現することができる。
【００３０】
また、本発明の衣服では、前記一対の支持体は、前記開閉部分の裏側で、その先端部分が相互に重なり合う薄板状の基板から成り、前記基板上には、前記上下方向に間隔を開けて２つのクリップが配置されるとともに、他方の基板との突き合わせ面に臨んで、前記磁石または磁性体が搭載されることを特徴とする。
【００３１】
上記の構成によれば、磁石または磁性体を搭載する支持体を薄板状の基板として、それぞれの基板に、前記のクリップを上下に間隔を開けて２つ配置する。
【００３２】
したがって、基板、磁石または磁性体およびクリップが、開閉部分を閉じる連結手段としてモジュール化されることになり、帯状体の基材に、このモジュールを容易に取付けることができるとともに、剛性の基板上で、磁石または磁性体およびクリップのアライメント（位置決め）を正確に行うことができ、衣服の着脱も行い易くなる。
【００３３】
さらにまた、本発明の衣服では、前記一対の磁石または磁性体は、互いの吸着面が、左右から相互に嵌り合う凹凸形状に形成されることを特徴とする。
【００３４】
上記の構成によれば、一対の磁石または磁性体の吸着面が、正面から見て凹凸に形成されることで、それらが嵌り合うことで、前記の上下方向に延びる前見頃や後見頃における上下方向のズレを無くすことができる。
【００３５】
また、本発明の衣服では、前記基板上には、前記上下方向に間隔を開けて配置される２つのクリップ間に、他方の基板と連結する第３の面ファスナーが設けられていることを特徴とする。
【００３６】
上記の構成によれば、モジュール化された前記の連結手段に、磁石が外れた、或いは外れそうな時に有効な面ファスナーを設けておくことで、前記前見頃や後見頃が不所望に開いてしまうことを防止することができる。
【００３７】
さらにまた、本発明の衣服では、前記支持体は、前記開閉部分の裏側で、その先端部分が左右から相互に嵌り合う凹凸形状に形成された板状の基板から成り、前記磁石または磁性体は、前記凹凸の内面に設けられていることを特徴とする。
【００３８】
上記の構成によれば、磁石または磁性体を搭載する支持体を、左右から相互に嵌り合う凹凸形状の基板として、その凹凸の内面に一対の前記磁石または磁性体を貼付ける。
【００３９】
したがって、基板および磁石または磁性体が、開閉部分を閉じる連結手段としてモジュール化されることになり、帯状体の基材に、このモジュールを、第１および第２の面ファスナーによって容易に取付けることができるとともに、剛性の基板で、磁石または磁性体のアライメント（位置決め）を正確に行うことができ、衣服の着脱も行い易くなる。
【００４０】
また、本発明の衣服では、前記磁石の少なくとも一部は電磁石であり、前記電磁石は、制御装置によって電力付勢が制御されており、前記制御装置には、情報処理端末と近距離無線通信によって、前記電力付勢の指示が与えられることを特徴とする。
【００４１】
上記の構成によれば、前記面ファスナーまたはホックから成る係合部材を用いて本固定を行う場合、磁石の少なくとも一部を電磁石とすることで、該電磁石を付勢して吸着させたり、逆極性に付勢することで、解放、すなわち脱いだりすることが容易になる。さらに、スマートフォンなどの情報処理端末で、電磁石の吸着や解放を制御することで、利便性を向上することができる。
【発明の効果】
【００４２】
本発明の衣服は、以上のように、前見頃のような少なくとも一部を開閉することで着脱可能になるシャツなどの衣服において、その開閉部分に、ボタン代わりに磁石や磁性体を使用することで、手指の不自由な人が脱いだり着たりし易い衣服を実現するにあたって、その磁石や磁性体を、開閉部分に延びる一対の支持体に搭載し、その支持体も、取付け部材によって、開閉部分の裏側に着脱自在に取付ける。
【００４３】
それゆえ、支持体およびそれに搭載される磁石や磁性体を衣服から取り外すことができ、洗濯機の内面と当ったり、磁石が錆びたりというような問題が無く、洗濯を容易に行うことができる。
【図面の簡単な説明】
【００４４】
【図１】本発明の実施の一形態に係る衣服であるシャツの正面図であり、前見頃を閉じた状態を示す。
【図２】本発明の実施の一形態に係る衣服であるシャツの正面図であり、前見頃を開いた状態を示す。
【図３】前記衣服において、前見頃を止める一実施形態の構成を拡大して示す斜視図である。
【図４】本発明の実施の他の形態に係る衣服において、前見頃を止める構成を拡大して示す斜視図である。
【図５】本発明の実施の他の形態に係る衣服において、前見頃を止める他の構成を拡大して示す斜視図である。
【図６】本発明の実施の他の形態に係る衣服において、前見頃を止めるさらに他の構成を拡大して示す斜視図である。
【発明を実施するための形態】
【００４５】
（実施の形態１）
図１および図２は本発明の実施の一形態に係る衣服１の正面図であり、図１は前見頃２を閉じた状態、図２は開いた状態を示す。本発明の衣服１は、前見頃２のような少なくとも一部を開閉することで着脱可能になる衣服を前提とする。本実施形態の衣服１は、シャツを模式的に示しており、上下方向に延びる前見頃２、つまり前立て２Ａ，２Ｂを開閉部分としているが、前記開閉部分は、ブラウスなどで後見頃であってもよい。図２は、開閉部分である前立て２Ａ，２Ｂ付近を裏返して（捲って）示している。
【００４６】
本実施形態の衣服１は、図面に向かって左側の前立て２Ａに、ボタンＢ１，Ｂ２，Ｂ３，Ｂ４，Ｂ５，Ｂ６（以下、総称する際は、参照符号Ｂで示す）が縫付けられ、右側の前立て２Ｂに、対応するボタン孔Ｈ１，Ｈ２，Ｈ３，Ｈ４，Ｈ５，Ｈ６（以下、総称する際は、参照符号Ｈで示す）が形成されている。図１は、ボタンＢを止めていない、つまり前立て２Ａ，２Ｂを重ね合わせただけの状態を示している。たとえば、前立て２Ａ，２Ｂの幅は、２０〜３０ｍｍである。本発明の衣服１は、後述するように、そのボタンＢの止め外しに不自由のある、たとえば手指を怪我した使用者が、容易に脱ぎ着できるように、ボタンＢを使用しないようにする衣服であるが、たとえば怪我の回復後には、通常のシャツと同様に着用できるように、本実施形態の衣服１では、ボタンＢおよびボタン孔Ｈを形成している。
【００４７】
注目すべきは、本実施形態では、ボタンＢの代わりに、対を成し、相互に磁気吸着する磁石Ｍ１Ａ，Ｍ２Ａ，Ｍ３Ａ，Ｍ４Ａ，Ｍ５Ａ，Ｍ６Ａ；Ｍ１Ｂ，Ｍ２Ｂ，Ｍ３Ｂ，Ｍ４Ｂ，Ｍ５Ｂ，Ｍ６Ｂ（以下、総称する際は、参照符号ＭまたはＭＡ，ＭＢで示す）を使用することである。磁石ＭＡ，ＭＢは、一方が磁石で、他方がそれに吸着される鉄板などの磁性体であってもよい。そして注目すべきは、本実施形態では、その磁石ＭＡ，ＭＢを、衣服１から着脱自在とすることである。これによって、磁石ＭＡ，ＭＢが、洗濯機の内面と当ったり、錆びたりというような問題が無く、洗濯を容易に行うことができるようになっている。
【００４８】
図２では、図数の削減のために、多数の実施形態を示している。先ず、磁石Ｍ１Ａ，Ｍ２Ａ，Ｍ３Ａ，Ｍ４Ａ，Ｍ５Ａ，Ｍ６Ａ；Ｍ１Ｂ，Ｍ２Ｂ，Ｍ３Ｂ，Ｍ４Ｂ，Ｍ５Ｂ，Ｍ６Ｂは、それぞれ帯状の支持体Ｐ１Ａ，Ｐ２Ａ，Ｐ３Ａ，Ｐ４Ａ，Ｐ５Ａ，Ｐ６Ａ；Ｐ１Ｂ，Ｐ２Ｂ，Ｐ３Ｂ，Ｐ４Ｂ，Ｐ５Ｂ，Ｐ６Ｂ（以下、総称する際は、参照符号ＰまたはＰＡ, ＰＢで示す）の一端部に搭載される。支持体Ｐには、衣服の芯材として用いられるインサイドベルトなどを用いることができる。
【００４９】
その内、支持体Ｐ１Ａ，Ｐ２Ａ，Ｐ３Ａ，Ｐ４Ａ；Ｐ１Ｂ，Ｐ２Ｂ，Ｐ３Ｂ，Ｐ４Ｂの他端部には、クリップＣ１Ａ，Ｃ２Ａ，Ｃ３Ａ，Ｃ４Ａ；Ｃ１Ｂ，Ｃ２Ｂ，Ｃ３Ｂ，Ｃ４Ｂ（以下、総称する際は、参照符号ＣまたはＣＡ, ＣＢで示す）が取付けられている。残余の支持体Ｐ５Ａ，Ｐ６Ａ；Ｐ５Ｂ，Ｐ６Ｂの他端部における図２の裏面側には、面ファスナーＤ５Ａ，Ｄ６Ａ；Ｄ５Ｂ，Ｄ６Ｂ（以下、総称する際は、参照符号ＤまたはＤＡ,ＤＢで示す）が取付けられている。
【００５０】
一方、前立て２Ａから所定間隔Ｗを開けた内側において、ボタンＢ１〜Ｂ４に対応する上部側には、該前立て２Ａと平行する帯状のメッシュ材Ｅが、縫い目Ｓによって、その帯の一端部が縫付けられている。また、前立て２Ｂから所定間隔Ｗを開けた内側において、ボタン孔Ｈ１〜Ｈ４に対応する上部側には、該前立て２Ｂと平行する帯状の布材Ｋが、粘着材Ｎによって、その帯の一端部が貼付けられている。布材Ｋには、前記のインサイドベルトなどを用いることができる。粘着材Ｎは、アイロンの熱などを使用して布地同士を熱圧着する、所謂裾上げテープなどで使用されるもので実現することができる。
【００５１】
同様に、前立て２Ａから所定間隔Ｗを開けた内側において、ボタンＢ５，Ｂ６に対応する下部側には、該前立て２Ａと平行する帯状の面ファスナーＴＡが、ファスナーＧＡによって、その帯の一端部が取付けられている。また、前立て２Ｂから所定間隔Ｗを開けた内側において、ボタン孔Ｈ５，Ｈ６に対応する下部側には、該前立て２Ｂと平行する帯状の面ファスナーＴＢが、ファスナーＧＢによって、その帯の一端部が取付けられている。
【００５２】
図３は、支持体Ｐ１Ａならびにそれに搭載される磁石Ｍ１ＡおよびクリップＣ１Ａの部分を拡大して示す斜視図である。磁石ＭＡ，ＭＢは、表裏面方向で分極するように構成されており、支持体ＰＡでは表面に磁石ＭＡが、支持体ＰＢでは裏面に磁石ＭＢが搭載されている。
【００５３】
クリップＣは、操作レバーＣａの操作によって、揺動片Ｃｂが、軸Ｃｃを中心に、固定片Ｃｄに対して開閉し、それらの間に前記メッシュ材Ｅまたは布材Ｋを挟み込む。固定片Ｃｄの裏面が前記支持体Ｐの表面に固着され、固定片Ｃｄおよび揺動片Ｃｂの対向面間に前記メッシュ材Ｅまたは布材Ｋを挟み込む。そのため、前記固定片Ｃｄおよび揺動片Ｃｂの対向面には、適宜、相互に噛合する歯Ｃｅ，Ｃｆが立設されている。その歯Ｃｅ，Ｃｆは、メッシュ材Ｅの網目に噛み込む。また、この歯Ｃｅ，Ｃｆによって、布材Ｋを波形に折り曲げて食付くようになるが、本実施形態では、より強固に外れ止めを行うために、歯Ｃｅ，Ｃｆの対応位置に、表裏間を貫通する孔Ｑ１，Ｑ２，Ｑ３，Ｑ４（以下、総称する際は、参照符号Ｑで示す）が形成されている。操作レバーＣａの基端側には、衝撃などによる不所望な開放を防止するために、図示しない係止構造が設けられている。
【００５４】
一方、図３のような拡大した図示は省略するが、支持体Ｐ５Ａ，Ｐ６Ａ；Ｐ５Ｂ，Ｐ６Ｂの場合、クリップＣに代えて、面ファスナーＤＡ，ＤＢが設けられる。メッシュ材Ｅおよび布材Ｋの場合は、表裏は無いが、面ファスナーＴＡ，ＴＢには表裏があるので、該面ファスナーＴＡ，ＴＢの衣服１への取付け状況に応じて、対応する面ファスナーＤＡ，ＤＢが、支持体Ｐ５Ａ，Ｐ６Ａ；Ｐ５Ｂ，Ｐ６Ｂの表面に設けられるか、裏面に設けられるかが決定されればよい。
【００５５】
このように本実施形態の衣服１では、対を成す開閉部分である前立て２Ａ，２Ｂの裏側付近において、開閉端２Ｃ，２Ｄの内方（図２では、前立て２Ａ，２Ｂから所定間隔Ｗを開けた内側箇所）から、他方の開閉部分の側に延びて一対の支持体ＰＡ，ＰＢを設け、その支持体ＰＡ，ＰＢの、一端側にボタンＢに代わって前記前立て２Ａ，２Ｂを開閉する磁石ＭＡ，ＭＢを搭載し、他端側は取付け部材となるメッシュ材Ｅまたは布材ＫとクリップＣとの組合わせ、もしくは面ファスナーＴＡ，ＴＢと面ファスナーＤＡ，ＤＢとの組合わせによって着脱自在とする。
【００５６】
したがって、前述のように、特に手指の不自由な人が脱いだり着たりし易い衣服を実現することができる。また、その磁石Ｍを、前立て２Ａ，２Ｂの裏側に縫い着けたり、該前立て２Ａ，２Ｂを袋にして収容したりするのではなく、一対の支持体ＰＡ，ＰＢに搭載し、その支持体ＰＡ，ＰＢも着脱自在であるので、支持体ＰＡ，ＰＢおよびそれに搭載される磁石Ｍを衣服１から取り外すことができ、洗濯機の内面と当ったり、磁石Ｍが錆びたりというような問題が無く、洗濯を容易に行うことができる。
【００５７】
また、取付け部材として、基材となるメッシュ材Ｅまたは布材Ｋと、その他端側に噛合または解放自在のクリップＣとを用いることで、前述のように洗濯の際などに支持体Ｐおよびそれに搭載される磁石Ｍを衣服１から取り外し自在とするにあたって、クリップＣを開閉して、メッシュ材Ｅまたは布材Ｋの端部に該クリップＣを食い付かせるだけでよく、容易に着脱することができる。さらにまた、前記取付け部材の基材として、クリップ通し孔Ｑを有する布材Ｋや、メッシュ材Ｅを用いることで、それらのクリップ通し孔Ｑやメッシュ孔などを通して、クリップＣの先端の歯Ｃｅ，Ｃｆが表裏間で噛合って、不所望に外れ難くすることができる。
【００５８】
さらにまた、本実施形態のように、開閉部分が前立て２のように上下方向に開閉する場合、その裏側で、基材となる布材Ｋやメッシュ材Ｅが、クリップＣ毎に切離されていたら、自己支持性が低くなるとともに、各クリップが対応するクリップ通し孔Ｑやメッシュ孔が捜し難い、つまりボタンの掛け違いが起こり易くなるのに対して、本実施形態のように、基材が複数のクリップＣが食い付く一体物の帯状体とすることで、自己支持性が高く、クリップＣを留め易くなり、好適である。
【００５９】
一方、前記取付け部材としては、前記の開閉部分の裏側に、ファスナーＧＡ，ＧＢなどで取付けられる第１の面ファスナーＴＡ，ＴＢと、支持体ＰＡ，ＰＢに取付けられ、第１の面ファスナーＴＡ，ＴＢに係合または解放自在の第２の面ファスナーＤＡ，ＤＢとの組合わせとすることで、それらを着け外しすることで、支持体Ｐおよび磁石Ｍを一体で、容易に着脱することができる。
【００６０】
なお、図２では、上述のように多数の実施形態を示すために、メッシュ材Ｅ、布材Ｋ、面ファスナーＴＡ，ＴＢおよびそれに対を成すクリップＣや面ファスナーＤＡ，ＤＢを示しているが、何れか１つが統一して用いられればよい。
【００６１】
好ましくは、上述のように衣服１を前立て２で上下方向に開閉可能にし、上下方向に配列される複数対の磁石Ｍの磁気吸着で開閉を行う場合、最上段の磁石Ｍ１Ａ，Ｍ１Ｂの対については、他の段の磁石Ｍ２Ａ〜Ｍ６Ａ，Ｍ２Ｂ〜Ｍ６Ｂの対とは異なる組合わせ形状とする。つまり、最上段の磁石Ｍ１Ａ，Ｍ１Ｂは、他の段の磁石Ｍ２Ａ〜Ｍ６Ａ，Ｍ２Ｂ〜Ｍ６Ｂとは吸着しない。このように構成することで、ボタンの掛け違えのようなズレを未然に防止することができる。
【００６２】
さらにまた、本実施形態では、開閉部分に磁石Ｍが複数（図２の例では６）個並んで設けられるので、それらの間の少なくとも一部の箇所に、相互に圧着されることで係合する係合部材Ｆ（以下のＦ１〜Ｆ４を総称する）を設けている。図２の例では、磁石Ｍ１Ａ，Ｍ１Ｂ；Ｍ２Ａ，Ｍ２Ｂ間に係合部材Ｆ１を、磁石Ｍ２Ａ，Ｍ２Ｂ；Ｍ３Ａ，Ｍ３Ｂ間に係合部材Ｆ２を、磁石Ｍ３Ａ，Ｍ３Ｂ；Ｍ４Ａ，Ｍ４Ｂ間に係合部材Ｆ３を、磁石Ｍ５Ａ，Ｍ５Ｂ；Ｍ６Ａ，Ｍ６Ｂ間に係合部材Ｆ４を、それぞれ設けている。
【００６３】
そして、その係合部材Ｆ１〜Ｆ４は、磁石Ｍと同様に、もう１つの支持体Ｐ１１Ａ〜Ｐ１４Ａ；Ｐ１１Ｂ〜Ｐ１４Ｂならびにもう１つの取付け部材を構成するクリップＣ１１Ａ〜Ｃ１３Ａ；Ｃ１１Ｂ〜Ｃ１３Ｂおよび面ファスナーＤ１４Ａ；Ｄ１４Ｂならびに前記のメッシュ材Ｅ、布材Ｋ、または面ファスナーＴＡ，ＴＢによって、衣服１の裏側で着脱自在となっている。係合部材Ｆは、面ファスナーやホックなどの一対の係合部材で実現することができる。本実施形態では面ファスナーとするので、前記もう１つの支持体Ｐ１１Ａ〜Ｐ１４Ａ；Ｐ１１Ｂ〜Ｐ１４Ｂの一端部側には、面ファスナーＲ１１Ａ〜Ｒ１４Ａ；Ｒ１１Ｂ〜Ｒ１４Ｂが取付けられている。このように構成することで、洗濯可能で、磁石Ｍで仮吸着して位置決めも行い（ボタンの掛け違いを無くし）、磁石Ｍの近傍に設けた係合部材Ｆによって本固定を行い、脱げ難くした衣服を実現することができる。
【００６４】
このように構成することで、磁石Ｍを仮固定とし、係合部材Ｆによって本固定を行い、衣服１を不所望に脱げないようにすることができる。
（実施の形態２）
図４は、本発明の実施の他の形態に係る衣服において、前見頃を止める構成であるモジュールｓを拡大して示す斜視図である。本実施形態は、衣服本体であるシャツの部分は、前述の図１および図２で示すものを用いることができる。そして、取付け部材は、前述のメッシュ材Ｅまたは布材Ｋと、クリップｃ１ａ，ｃ２ａ；ｃ１ｂ，ｃ２ｂとによって構成されることになる。支持体ｐａ，ｐｂは、１枚の矩形の薄板の中央付近を凹凸になるように分割して形成され、その凹凸の境界部分には、相互に吸着する磁石ｍ１ａ，ｍ２ａ，ｍ３ａ；ｍ１ｂ，ｍ２ｂ，ｍ３ｂが立設され、境界とは反対側の端部には、前記クリップｃ１ａ，ｃ２ａ；ｃ１ｂ，ｃ２ｂが、相互に間隔を開けて固着される。クリップｃ１ａ，ｃ２ａ；ｃ１ｂ，ｃ２ｂ間で、磁石ｍ２ａ，ｍ２ｂの背後側には、面ファスナーｒａ，ｒｂが貼付けられている。面ファスナーｒａ，ｒｂ間は、面ファスナーから成る係合部材ｆによって連結される。支持体ｐａ，ｐｂの一方（図４では支持体ｐａ）の裏面には、他方（図４では支持体ｐｂ）の凹凸部分までをカバーする案内板ｇが貼付けられている。
【００６５】
こうして、支持体ｐａ，ｐｂ、クリップｃ１ａ，ｃ２ａ；ｃ１ｂ，ｃ２ｂ、磁石ｍ１ａ，ｍ２ａ，ｍ３ａ；ｍ１ｂ，ｍ２ｂ，ｍ３ｂ、面ファスナーｒａ，ｒｂ、係合部材ｆおよび案内板ｇは、前記の前見頃を止めるためのモジュールｓを構成する。そのモジュールｓは、たとえば、ボタンＢ１およびボタン孔Ｈ１に対応する、図３で示すような、支持体Ｐ１Ａ，Ｐ１Ｂならびにそれに搭載される磁石Ｍ１Ａ，Ｍ１ＢおよびクリップＣ１Ａ，Ｃ１Ｂを備えて構成されるモジュールに代えて用いられてもよく、或いは、それらに、さらにもう１つの支持体Ｐ１１Ａ，Ｐ１１Ｂならびにそれに搭載される面ファスナーＲ１１Ａ，Ｒ１１Ｂ、クリップＣ１１Ａ，Ｃ１１Ｂおよび係合部材Ｆを備えて構成されるモジュールを加えた構成に代えて用いられてもよく、もしくは、それらに、さらにボタンＢ２およびボタン孔Ｈ２に対応する、もう１組の支持体Ｐ２Ａ，Ｐ２Ｂならびにそれに搭載される磁石Ｍ２Ａ，Ｍ２ＢおよびクリップＣ２Ａ，Ｃ２Ｂを備えて構成されるモジュールを加えた構成に代えて用いられてもよい。
【００６６】
このように構成することで、磁石ｍ１ａ，ｍ２ａ，ｍ３ａ；ｍ１ｂ，ｍ２ｂ，ｍ３ｂを搭載する支持体ｐａ，ｐｂを薄板状の基板として、それぞれの基板に、前記のクリップｃ１ａ，ｃ２ａ；ｃ１ｂ，ｃ２ｂを配置してモジュール化しているので、衣服の開閉部分を閉じる連結手段として、メッシュ材Ｅや布材Ｋに、このモジュールｓを容易に取付けることができる。また、剛性の基板上で、磁石ｍ１ａ，ｍ２ａ，ｍ３ａ；ｍ１ｂ，ｍ２ｂ，ｍ３ｂおよびクリップｃ１ａ，ｃ２ａ；ｃ１ｂ，ｃ２ｂのアライメント（位置決め）を正確に行うことができ、しかもクリップｃ１ａ，ｃ２ａ；ｃ１ｂ，ｃ２ｂは上下に間隔を開けて２つ配置し、メッシュ材Ｅや布材Ｋは帯状体の基材であるので、帯状の支持体Ｐを用いる場合に比べて、衣服への着脱を格段に行い易くなる。
【００６７】
また、本実施形態では、一対の磁石ｍ１ａ，ｍ２ａ，ｍ３ａ；ｍ１ｂ，ｍ２ｂ，ｍ３ｂは、正面から見て、互いの吸着面が、左右から相互に嵌り合う凹凸形状に形成される。つまり図４では、凹凸の頂部および底部に、所謂ゴム磁石（ボンド磁石）を分断したものを配置している。したがって、それらが嵌り合うことで、前記の上下方向に延びる前見頃２における上下方向のズレを無くすことができる。
【００６８】
ここで、案内板ｇは、上述のように、２枚の支持体ｐａ，ｐｂの一方（図４では支持体ｐａ）の裏面に設けられて、他方（図４では支持体ｐｂ）の裏面を案内し、それらの支持体ｐａ，ｐｂの凹凸形状が一致するように案内する。これによって、２枚の支持体ｐａ，ｐｂが隙間無く重なり、磁石ｍ１ａ，ｍ２ａ，ｍ３ａ；ｍ１ｂ，ｍ２ｂ，ｍ３ｂが密着し、外れ難く（脱げ難く）なるとともに、磁石ｍ１ａ，ｍ２ａ，ｍ３ａ；ｍ１ｂ，ｍ２ｂ，ｍ３ｂの吸着の際、肌着などを挟み込まず、容易に吸着させる（着易くする）ことができる。
（実施の形態３）
図５は、本発明の実施の他の形態に係る衣服において、前見頃を止める他の構成であるモジュールｕを拡大して示す斜視図である。本実施形態も、衣服本体であるシャツの部分は、前述の図１および図２で示すものを用いることができる。図５の構成において、図４の構成に類似し、対応する部分には同一の参照符号を付して、その説明を省略する。本実施形態では、取付け部材は、前述の面ファスナーＴＡ，ＴＢと、面ファスナーｄａ，ｄｂとによって構成されることになる。支持体ｈａ，ｈｂは、１枚の矩形で所定の厚みを有する発泡スチロール板などから、その中央付近を凹凸になるように分割して形成され、その凹凸の境界部分には、前記の磁石ｍ１ａ，ｍ２ａ，ｍ３ａ；ｍ１ｂ，ｍ２ｂ，ｍ３ｂが貼付けられている。面ファスナーｄａ，ｄｂは、支持体ｈａ，ｈｂの裏面側で、境界とは反対側の端部側に設けられる。支持体ｈａ，ｈｂの表面側の中央部（磁石ｍ２ａ，ｍ２ｂの背後側）には、前記の面ファスナーｒａ，ｒｂが貼付けられている。面ファスナーｒａ，ｒｂ間は、前記の面ファスナーから成る係合部材ｆによって連結される。支持体ｈａ，ｈｂの一方（図５では支持体ｈａ）の裏面には、他方（図５では支持体ｈｂ）の凹凸部分までをカバーする前記の案内板ｇが貼付けられており、対応して、他方（図５では支持体ｈｂ）の裏面には、案内板ｇが支持体ｈｂの凸部分の裏側に潜り込み易くするために、該案内板ｇと同じ厚さか、少し厚いスペーサー板ｇ’が貼付けられている。前記の面ファスナーｄａ，ｄｂは、案内板ｇまたはスペーサー板ｇ’に貼付けられる。
【００６９】
こうして、支持体ｈａ，ｈｂ、面ファスナーｄａ，ｄｂ、磁石ｍ１ａ，ｍ２ａ，ｍ３ａ；ｍ１ｂ，ｍ２ｂ，ｍ３ｂ、面ファスナーｒａ，ｒｂ、係合部材ｆ、案内板ｇおよびスペーサー板ｇ’は、前記の前見頃を止めるためのモジュールｕを構成する。そのモジュールｕも、モジュールｓと同様に、ボタンＢの１つ分から、間に面ファスナーＦを挟む２つ分までの幅に対応して、設けられればよい。
【００７０】
このように構成することで、磁石ｍ１ａ，ｍ２ａ，ｍ３ａ；ｍ１ｂ，ｍ２ｂ，ｍ３ｂおよびそれを搭載する支持体ｈａ，ｈｂが、開閉部分を閉じる連結手段としてモジュール化されることになり、帯状体の基材である面ファスナーＴＡ，ＴＢに、このモジュールｕを、面ファスナーｄａ，ｄｂによって容易に取付けることができるとともに、剛性の基板である支持体ｈａ，ｈｂで、磁石ｍ１ａ，ｍ２ａ，ｍ３ａ；ｍ１ｂ，ｍ２ｂ，ｍ３ｂのアライメント（位置決め）を正確に行うことができ、衣服の着脱も行い易くなる。
（実施の形態４）
図６は、本発明の実施の他の形態に係る衣服において、前見頃を止めるさらに他の構成であるモジュールｕ’を、一部を透視して拡大して示す斜視図である。本実施形態も、衣服本体であるシャツの部分は、前述の図１および図２で示すものを用いることができる。図６の構成は、図５の構成に類似し、対応する部分には同一の参照符号を付して、その説明を省略する。本実施形態でも、取付け部材は、前述の面ファスナーＴＡ，ＴＢと、面ファスナーｄａ，ｄｂとによって構成されることになる。本実施形態のモジュールｕ’は、図５のモジュールｕと、支持体ｈａおよび係合部材ｆについては、同一である。
【００７１】
注目すべきは、本実施形態では、支持体ｈｂ’に搭載される構成が、支持体ｈｂに搭載される構成と、一部で異なることである。具体的には、磁石ｍ２ｂ’が、電磁石であることである。図６の例では、磁石ｍ２ａに対向するのは磁極プレートｍ２ｂ１となり、その背後側に、ヨークｍ２ｂ２およびそれに巻回されるコイルｍ２ｂ３を備えて、磁石ｍ２ｂ’が構成される。
【００７２】
コイルｍ２ｂ３は、制御装置ｃｔｌによって、その電力付勢が制御され、制御回路ｃｔｌは、電力付勢（通電）するか否か、および電力付勢（通電）する場合の付勢（通電）方向を制御する。制御装置ｃｔｌには、電池ｂａｔから電源供給され、前記コイルｍ２ｂ３の電力付勢の制御は、スマートフォンなどの外部の指示装置ｉから、無線ＬＡＮなどの近距離無線通信ｊによって行われる。電池ｂａｔには、図６では、電気浮き用のリチウム電池を使用しているが、所謂ボタン電池などが用いられてもよい。このような構成のため、支持体ｈｂ’の外筐は剛体であり、内部空間に、前記ヨークｍ２ｂ２、コイルｍ２ｂ３、制御装置ｃｔｌおよび電池ｂａｔが収容される。
【００７３】
このように構成することで、制御装置ｃｔｌが、磁石ｍ２ｂ’を吸着方向に電力付勢（通電）することで、使用者が大まかに合せていた衣服１の前立て２Ａ，２Ｂを完全に一致させて、他の磁石ｍ１ｂ，ｍ３ｂと共に、対向する磁石ｍ１ａ，ｍ２ａ，ｍ３ａとの係合を行わせることができる。磁石ｍ２ｂ’の吸着後、制御装置ｃｔｌのタイマー機能によって、所定時間経過後に電力付勢（通電）が停止され、その所定時間の間に、前記係合部材ｆによる固定が行われる。係合部材ｆが剥がされている状態で、制御装置ｃｔｌが、磁石ｍ２ｂ’を反発方向に電力付勢（通電）することで、その反発力によって、他の磁石ｍ１ｂ，ｍ３ｂが外れ易くなる。こうして、利便性を向上することができる。
【００７４】
好ましくは、スマートフォンｉは、音声認識によって、制御装置ｃｔｌに前記電力付勢の指示を与えることである。その音声認識は、スマートフォン６１が図示しないネットワークを介してサーバコンピュータに音声データを送信し、人工知能による音声認識機能などを利用して実現することができる。これによって、使用者がスマートフォンｉに話し掛けるだけで、磁石ｍ２ｂ’の吸着や解放を制御、すなわち着たり脱いだりすることができ、特に手の不自由な使用者の利便性を向上することができる。
【符号の説明】
【００７５】
１    衣服
２    前見頃
２Ａ，２Ｂ    前立て
Ｂ１，Ｂ２，Ｂ３，Ｂ４，Ｂ５，Ｂ６    ボタン
Ｃ１Ａ，Ｃ２Ａ，Ｃ３Ａ，Ｃ４Ａ；Ｃ１１Ａ，Ｃ１２Ａ，Ｃ１３Ａ    クリップ
Ｃ１Ｂ，Ｃ２Ｂ，Ｃ３Ｂ，Ｃ４Ｂ；Ｃ１１Ｂ，Ｃ１２Ｂ，Ｃ１３Ｂ    クリップ
Ｃａ    操作レバー
Ｃｂ    揺動片
Ｃｃ    軸
Ｃｄ    固定片
Ｃｅ，Ｃｆ    歯
Ｄ５Ａ，Ｄ６Ａ；Ｄ５Ｂ，Ｄ６Ｂ    面ファスナー
Ｄ１４Ａ；Ｄ１４Ｂ    面ファスナー
Ｅ    メッシュ材
Ｆ１，Ｆ２，Ｆ３，Ｆ４    係合部材
ＧＡ，ＧＢ    ファスナー
Ｈ１，Ｈ２，Ｈ３，Ｈ４，Ｈ５，Ｈ６    ボタン孔
Ｋ    布材
Ｍ１Ａ，Ｍ２Ａ，Ｍ３Ａ，Ｍ４Ａ，Ｍ５Ａ，Ｍ６Ａ    磁石
Ｍ１Ｂ，Ｍ２Ｂ，Ｍ３Ｂ，Ｍ４Ｂ，Ｍ５Ｂ，Ｍ６Ｂ    磁石
Ｎ    粘着材
Ｐ１Ａ，Ｐ２Ａ，Ｐ３Ａ，Ｐ４Ａ，Ｐ５Ａ，Ｐ６Ａ    支持体
Ｐ１Ｂ，Ｐ２Ｂ，Ｐ３Ｂ，Ｐ４Ｂ，Ｐ５Ｂ，Ｐ６Ｂ    支持体
Ｐ１１Ａ，Ｐ１２Ａ，Ｐ１３Ａ，Ｐ１４Ａ    支持体
Ｐ１１Ｂ，Ｐ１２Ｂ，Ｐ１３Ｂ，Ｐ１４Ｂ    支持体
Ｑ１，Ｑ２，Ｑ３，Ｑ４；Ｑ１１，Ｑ１２，Ｑ１３    孔
Ｒ１１Ａ，Ｒ１２Ａ，Ｒ１３Ａ，Ｒ１４Ａ    面ファスナー
Ｒ１１Ｂ，Ｒ１２Ｂ，Ｒ１３Ｂ，Ｒ１４Ｂ    面ファスナー
Ｓ    縫い目
ＴＡ，ＴＢ    面ファスナー
ｂａｔ  電池
ｃ１ａ，ｃ２ａ；ｃ１ｂ，ｃ２ｂ    クリップ
ｃｔｌ  制御回路
ｄａ，ｄｂ    面ファスナー
ｆ    係合部材
ｇ    案内板
ｇ’    スペーサー板
ｈａ，ｈｂ，ｈｂ’    支持体
ｉ    指示装置
ｍ１ａ，ｍ２ａ，ｍ３ａ；ｍ１ｂ，ｍ２ｂ，ｍ２ｂ’，ｍ３ｂ    磁石
ｍ２ｂ１    磁極プレート
ｍ２ｂ２    ヨーク
ｍ２ｂ３    コイル
ｐａ，ｐｂ    支持体
ｒａ，ｒｂ    面ファスナー
ｓ，ｕ，ｕ’    モジュール
【図１】
2019194381.tif 000003
【図２】
2019194381.tif 000004
【図３】
2019194381.tif 000005
【図４】
2019194381.tif 000006
【図５】
2019194381.tif 000007
【図６】
2019194381.tif 000008